(57)【要約】【課題】  空間変調デバイスを用い、光源としてＲＧＢのＬＥＤを用いたプロジェクタにおいて色度を調整できるようにする。【解決手段】  目標色空間設定部２は、外部情報入力部１により設定されたＲＧＢ目標色度と、白色点３刺激値とによって、目標ＲＧＢ３刺激値を求める。記憶部３には、ＬＥＤ６ｒ、６ｇ、６ｂの最大発光時のＲＧＢ３刺激値が記憶されている。光源調整部４は、目標色空間設定部２からの目標ＲＧＢ３刺激値と、記憶部３に記憶されている各ＬＥＤのＲＧＢ３刺激値から、目標色空間となるためのＲ、Ｇ、Ｂの各ＬＥＤ６ｒ、６ｇ、６ｂにそれぞれの発光する混合比を決定し、この混合比に基づいて、Ｒ、Ｇ、Ｂの各ＬＥＤ６ｒ、６ｇ、６ｂそれぞれに流すＬＥＤ駆動電流を設定する。ＬＥＤ６ｒ、６ｇ、６ｂの光を所望の混合比で合成することで色空間を所望の位置に設定して色度調整が行える。【選択図】        図１
2006330177.tif 000002
【特許請求の範囲】
【請求項１】
光の強度が異なる少なくとも３原色の照明光を同時に出射可能な光源手段と、
前記光源手段が出射する各色の光強度を調整する光源調整手段と、
前記光源手段が出射した照明光を変調して変調光を出射する光変調手段と、
前記変調光で表現したい目標色空間を設定する目標色空間設定手段とを有し、
前記光源調整手段は、前記目標色空間設定手段で設定した目標色空間の各頂点である各調整後原色を、照明光が出射するように前記光源手段を調整する
ことを特徴とする表示装置。
【請求項２】
前記光変調手段は、入力された画像情報に基づいて面順次駆動でカラー画像変調を行うものであり、
前記光源手段は、前記光変調手段の面順次駆動タイミングに同期して、各色の光強度の組み合わせが異なる複数種類の照明光を順次出射するものであることを特徴とする請求項１に記載の表示装置。
【請求項３】
前記光源手段は、３原色の照明光をそれぞれ出射する複数の発光素子と、
前記複数の発光素子が出射するそれぞれの出射光を光学的に合成して照明光として出射する光合成手段とからなることを特徴とする請求項１に記載の表示装置。
【請求項４】
前記目標色空間内での白色点を設定する白色点設定手段を更に有し、
前記目標色空間設定手段は、この設定された白色点に基づいて目標色空間を設定するようにしたことを特徴とする請求項１に記載の表示装置。
【請求項５】
前記光源手段が出射する３原色それぞれの光学的特性を記憶する記憶手段を更に有するようにしたことを特徴とする請求項１に記載の画像表示装置。
【請求項６】
前記光源調整手段は、前記記憶手段が記憶する光学的特性を用いて、前記３原色を前記調整後原色に変換するための係数を求めるようにしたことを特徴とする請求項５に記載の表示装置。
【請求項７】
前記記憶手段は、色度値を記憶し、
更に光源手段から出射した照明光の各原色毎の輝度を検出するセンサを有し、
前記光源調整手段は、前記記憶手段が記憶する各原色の色度値と前記検出値とによって前記係数を調整するようにしたことを特徴とする請求項６に記載の表示装置。
【請求項８】
前記光源手段が出射する３原色それぞれの光学的特性を検出するセンサを更に有するようにしたことを特徴とする請求項１に記載の表示装置。
【請求項９】
前記光源調整手段は、前記センサが検出した光学的特性を用いて、前記３原色を前記調整後原色に変換するための係数を求めるようにしたことを特徴とする請求項８に記載の表示装置。
【請求項１０】
更に、入力信号の種類を検出する入力信号検出手段を有し、
前記目標色空間設定手段は前記検出した入力信号の種類に応じて目標色空間の大きさを変えるようにしたことを特徴とする請求項１に記載の表示装置。
【請求項１１】
光の強度が異なる少なくとも３原色の照明光を同時に出射可能な光源手段と、
前記光源手段が出射する各色の光強度を調整する光源調整手段と、
前記光源手段が出射した照明光を変調して変調光を出射する光変調手段と、
前記変調光で表現したい目標色空間を設定する目標色空間設定手段と、
前記画像表示からの投影光が投射される投影光学手段とを有し
前記光源調整手段は、前記目標色空間設定手段で設定した目標色空間の各頂点である各調整後原色を、照明光が出射するように前記光源手段を調整するようにしたことを特徴とするプロジェクタ。
【発明の詳細な説明】
【技術分野】
【０００１】
本発明は、空間変調デバイスとＬＥＤとを用いた表示装置及びプロジェクタに関するもので、特に、色度の設定に係わる。
【背景技術】
【０００２】
発光ダイオード（以下、ＬＥＤ）は、小型、高耐性、長寿命、低消費電力などの長所に着目され、これまでもインジケータなどの用途でランプの代替として利用されてきたが、近年の発光効率、発光出力の向上は著しく、小型プロジェクタの光源としてＬＥＤを使用するものが検討され始めている。
【０００３】
一方、小型のプロジェクタでは、画像データに応じてマトリクス状に配列された各画素の微小ミラーをＰＷＭ(Pulse Width Modulation)駆動によりオン状態とオフ状態の角度に高速に切り替えて照明光を変調するデジタルマイクロミラーデバイス（ＤＭＤ）のような空間変調デバイスが使用されているものが多い。このような空間変調デバイスは、従来の液晶表示素子（ＬＣＤ）と異なり、高速に動作が可能であるため、ＲＧＢの画像を面順次方式で表示することができる。また、カラー画像の表示にＬＣＤが３枚必要であったのに対し、１つのＤＭＤでカラーのプロジェクタを実現できる。また、ＬＣＤのような偏光依存性がないため、ＬＥＤなどの無偏光の光を発生する光源に対して損失の少ない光学系が簡単に構成できる。なお、ＲＧＢのＬＥＤを光源として用いたプロジェクタとしては、特許文献１及び特許文献２に示されているものが提案されている。
【特許文献１】特開２００４−３４１４２９号公報
【特許文献２】特開２００４−３１７５５８号公報
【発明の開示】
【発明が解決しようとする課題】
【０００４】
ところで、光源としてＬＥＤを用いた場合には、色度を最適に調整することが可能である。
【０００５】
すなわち、色度は、図７に示すような、国際照明委員会（ＣＩＥ）のｘ−ｙ色度表により表される。ＣＩＥの規格では、３原色として、赤には知覚の実用上限である７００ｎｍ、緑と青には水銀ランプの輝線波長５４６．１ｎｍと４３５．８ｎｍを用い、これら３色の混合比で色を座標表示するようにしている。また３原色の強度は絶対的な光の強度そのものでなく、混合した色が色温度４８００Ｋの白色に見えるときに必要な各色の輝度を１とし、それに対する相対比で表わすこととしており、これを刺激値としている。
【０００６】
図７において、Ｒ（赤）色、Ｇ（緑）色、Ｂ（青）色の各ＬＥＤの最大色度がＲ１、Ｇ１、Ｂ１であるとすると、ＬＥＤの特性の範囲内で、この三角形の座標を変更して、色度を変えることは可能である。例えば、図７に示すように、Ｒ色の色度の座標をＲ１からＲ２に変更し、Ｇ色の色度の座標をＧ１からＧ２に変更し、Ｂ色の色度の座標をＢ１からＢ２に変更することが可能である。
【０００７】
ところが、特許文献１では、複数の原色それぞれの面順次表示期間中に、カラーバランスを調整するために、複数の原色光源それぞれの発光時間を調整することが開示されているだけで、表示画像の色度を調整することについては考慮されていない。
【０００８】
また、特許文献２では、複数の原色それぞれの面順次表示期間中に、オフセット光を追加して発光させることにより、表示画像の輝度を調整することが開示されているだけで、表示画像の色度を調整することについては考慮されていない。
【０００９】
したがって、本発明は、上述の課題を鑑み、複数の原色それぞれの面順次表示期間中に、他の原色を混色することにより、表示画像の色度を自由に調整できるようにした表示装置、及びこのような表示装置を用いたプロジェクタを提供することを目的とする。
【課題を解決するための手段】
【００１０】
上述の課題を解決するために、請求項１の発明の表示装置は、光の強度が異なる少なくとも３原色の照明光を同時に出射可能な光源手段と、光源手段が出射する各色の光強度を調整する光源調整手段と、光源手段が出射した照明光を変調して変調光を出射する光変調手段と、変調光で表現したい目標色空間を設定する目標色空間設定手段とを有し、光源調整手段は、目標色空間設定手段で設定した目標色空間の各頂点である各調整後原色を、照明光が出射するように光源手段を調整することを特徴とする。
【００１１】
請求項２の発明の表示装置では、光変調手段は、入力された画像情報に基づいて面順次駆動でカラー画像変調を行うものであり、光源手段は、光変調手段の面順次駆動タイミングに同期して、各色の光強度の組み合わせが異なる複数種類の照明光を順次出射するものであることを特徴とする、
【００１２】
請求項３の発明の表示装置では、光源手段は、３原色の照明光をそれぞれ出射する複数の発光素子と、複数の発光素子が出射するそれぞれの出射光を光学的に合成して照明光として出射する光合成手段とからなることを特徴とする。
【００１３】
請求項４の発明の表示装置では、目標色空間内での白色点を設定する白色点設定手段を更に有し、目標色空間設定手段は、この設定された白色点に基づいて目標色空間を設定するようにしたことを特徴とする。
【００１４】
請求項５の発明の表示装置では、光源手段が出射する３原色それぞれの光学的特性を記憶する記憶手段を更に有するようにしたことを特徴とする。
【００１５】
請求項６の発明の表示装置では、光源調整手段は、記憶手段が記憶する光学的特性を用いて、３原色を調整後原色に変換するための係数を求めるようにしたことを特徴とする。
【００１６】
請求項７の発明の表示装置では、記憶手段は、色度値を記憶し、更に光源手段から出射した照明光の各原色毎の輝度を検出するセンサを有し、光源調整手段は、記憶手段が記憶する各原色の色度値と検出値とによって係数を調整するようにしたことを特徴とする。
【００１７】
請求項８の発明の表示装置では、光源手段が出射する３原色それぞれの光学的特性を検出するセンサを更に有するようにしたことを特徴とする。
【００１８】
請求項９の発明の表示装置では、光源調整手段は、センサが検出した光学的特性を用いて、３原色を調整後原色に変換するための係数を求めるようにしたことを特徴とする。
【００１９】
請求項１０の発明の表示装置では、更に、入力信号の種類を検出する入力信号検出手段を有し、目標色空間設定手段は検出した入力信号の種類に応じて目標色空間の大きさを変えるようにしたことを特徴とする。
【００２０】
請求項１１の発明のプロジェクタは、光の強度が異なる少なくとも３原色の照明光を同時に出射可能な光源手段と、光源手段が出射する各色の光強度を調整する光源調整手段と、光源手段が出射した照明光を変調して変調光を出射する光変調手段と、変調光で表現したい目標色空間を設定する目標色空間設定手段と、画像表示からの投影光が投射される投影光学手段とを有し、光源調整手段は、目標色空間設定手段で設定した目標色空間の各頂点である各調整後原色を、照明光が出射するように光源手段を調整するようにしたことを特徴とする。
【発明の効果】
【００２１】
本発明によれば、使用者の設定や入力映像信号に含まれる情報により、目標色空間を設定し、目標色空間となるようなＲＧＢの混合比を求め、各色のＬＥＤの駆動電流を混合比に応じて設定し、各色のＬＥＤからの光を設定された混合比で混合している。これにより、使用者の設定や、映像を見るときの環境や、映像ソースの状態等により、色空間を自由に調整することができる。
【発明を実施するための最良の形態】
【００２２】
以下、本発明の実施の形態について図面を参照しながら説明する。図１は、本発明の実施形態を示すものである。図１において、外部情報入力部１は、操作パネルなどのユーザーインターフェースである。外部情報入力部１には、操作者によって、ＲＧＢ目標色度（ｘ、ｙ）が入力される。
【００２３】
目標色空間設定部２は、外部情報入力部１により設定されたＲＧＢ目標色度と、白色点３刺激値とによって、目標ＲＧＢ３刺激値を求める。なお、この例では、白色点の３刺激値は、例えば、目標色空間設定部２内のメモリ又はレジスタに記憶されており、白色点の３刺激値は、この目標色空間設定部２内のメモリ又はレジスタに記憶されている値が用いられる。
【００２４】
記憶部３は、Ｒ、Ｇ、Ｂの各ＬＥＤの光学特性を保存するためのメモリである。記憶部３には、ＬＥＤ６ｒ、６ｇ、６ｂの最大発光時のＲＧＢ３刺激値が記憶されている。
【００２５】
光源調整部４は、目標色空間設定部２からの目標ＲＧＢ３刺激値と、記憶部３に記憶されている各ＬＥＤのＲＧＢ３刺激値から、目標色空間となるためのＲ、Ｇ、Ｂの各ＬＥＤ６Ｒ、６Ｇ、６Ｂにそれぞれの光の混合比を決定し、この混合比に基づいて、Ｒ、Ｇ、Ｂの各ＬＥＤ６Ｒ、６Ｇ、６Ｂそれぞれに流すＬＥＤ駆動電流を設定する。なお、光源調整部４には、混合比に対応するＬＥＤ駆動電流が蓄積された光量−電流変換テーブルが設けられており、混合比からＬＥＤ駆動電流への変換には、この光量−電流変換テーブルが用いられる。
【００２６】
Ｒ−ＬＥＤ駆動回路５ｒは、光源調整部４で求められた駆動電流に基づいて、Ｒ色のＬＥＤ６ｒにＬＥＤ駆動電流を供給する。同様に、Ｇ−ＬＥＤ駆動回路５ｇ及びＢ−ＬＥＤ駆動回路５ｂは、それぞれ、光源調整部４で求められた駆動電流に基づいて、Ｇ色のＬＥＤ６ｇ及びＢ色のＬＥＤ６ｂにＬＥＤ駆動電流を供給する。
【００２７】
ＬＥＤ６ｒ、６ｇ及び６ｂは、駆動電流が流されることにより点灯する。ＬＥＤ６ｒ、６ｇ及び６ｂからのＲＧＢ光は、コリメータ７ｒ、７ｇ及び７ｂにより平行性の高い光に変換された後、ダイクロイックプリズム８で合成され、照明光学系９を介して、空間変調デバイス１０に照射される。
【００２８】
入力映像信号は、入力端子１１から入力され、画像処理部１２に送られる。画像処理部１２は、入力端子１１からの映像信号を、Ｒ，Ｇ，Ｂデータからなる表示映像信号に変換して出力する。
【００２９】
変調デバイス制御部１３は、ＲＧＢからなる表示映像信号を面順次のＰＷＭ変調の映像信号に変換して、変調デバイス駆動信号を出力する。すなわち、変調デバイス制御部１３は、１フレームの間に、Ｒ光の変調表示期間と、Ｇ光の変調表示期間と、Ｂ光の変調表示期間を設定する。そして、各色の変調期間で、空間変調デバイス１０に、変調デバイス駆動信号を出力する。また、変調デバイス制御部１３は、ＲＧＢの各変調期間でのＬＥＤ６ｒ、６ｇ、６ｂの発光タイミングを制御するための同期信号を光源調整部４に出力する。
【００３０】
また、ＬＥＤ６ｒ、６ｇ、６ｂから照明光学系への光路中に、ハーフミラー１６が設けられる。ハーフミラー１６により、ＬＥＤ６ｒ、６ｇ、６ｂからの光の一部がセンサ１７に導かれる。このセンサ１７の光検出信号が光源調整部４に送られる。
【００３１】
空間変調デバイス１０としては、例えばＤＭＤ素子が用いられる。ＤＭＤ素子は、表面に無数の微小なミラーを配置し、その角度を画素毎に変えられるので、表面の微少なミラーの角度により光の進路が変えられことで、画素単位で光のオン／オフが行われる。投影光学系１４は、空間変調デバイス１０により変調を受けた光学像をスクリーン１５に投影する。
【００３２】
このように、本発明の実施形態では、外部情報入力部１からのＲＧＢ目標色度設定値に応じて、色度の調整が行える。つまり、図２（Ａ）に示すように、１フレームがＲ色の変調表示期間と、Ｇ色の変調表示期間と、Ｂ色の変調表示期間に分けられ、各変調期間に、Ｒ色、Ｇ色、Ｂ色の変調デバイス駆動信号が出力される。そして、図２（Ｂ）〜図２（Ｄ）に示すように、Ｒ色の変調表示期間では、設定された色度に基づいて、Ｒ刺激値となる混合比でＬＥＤ６ｒ、６ｇ、６ｂが発光し、Ｇ色の変調期間では、設定された色度に基づいて、Ｇ刺激値となる混合比でＬＥＤ６ｒ、６ｇ、６ｂが発光し、Ｂ色の変調期間では、設定された色度に基づいて、Ｂ刺激値となる混合比でＬＥＤ６ｒ、６ｇ、６ｂが発光する。このように、ＬＥＤ６ｒ、６ｇ、６ｂの光を所望の混合比で合成することで、色空間を所望の位置に設定して、色度調整が行われる。
【００３３】
これに対して、通常、ＲＧＢの各色の変調表示期間では、ＲＧＢの各色のＬＥＤのみが点灯される。つまり、図３に示すように、Ｒ色の変調表示期間ではＲ色のＬＥＤのみが点灯され、Ｇ色の変調表示期間ではＧ色のＬＥＤのみが点灯され、Ｂ色の変調表示期間ではＢ色のＬＥＤのみが点灯される。このように、ＲＧＢの各色のＬＥＤのうちの１つのみを点灯させる構成では、色空間を所望の位置に設定することはできず、色度調整は行えない。
【００３４】
次に、本発明の実施形態における色度の設定について図４を参照して詳述する。図４に示すｘ−ｙ色度図において、実線で囲まれる三角形の領域は、ＬＥＤ６ｒ、６ｇ、６ｂで再現できる光の範囲である。色度の調整は、この実線で囲まれる三角形の領域の範囲内で設定できる。このＬＥＤ６ｒ、６ｇ、６ｂで再現できる色度は、予め、記憶部３に光学特性として格納されている。また、図２において、白色点の座標は、予め、目標色空間設定部２に設定されている。
【００３５】
原色光のＲＧＢから、目標Ｒ’、Ｇ’、Ｂ’を得るための混合比は、（１）式に基づいて得られる。（１）式より、原色光のＲ、Ｇ、Ｂを混色することにより、原色光で示される色空間内ならば、指定した色度の３刺激値Ｒ’、Ｇ’、Ｂ’の光を作り出せる。原色光の（Ｘ，Ｙ，Ｚ）は、ＬＥＤ６ｒ、６ｇ、６ｂからの光であり、既知であるので、右辺のＲＧＢは決まる。また、目標色度と白色点を決めれば、右辺のＲ’、Ｇ’、Ｂ’も決まる。したがって、（１）式より、簡単な逆行列計算で、原色光に対する混合比が導ける。
【００３６】
【数１】
2006330177.tif 000003
【００３７】
Ｒ’：色度調整後のＲ光（Ｘｒ’，Ｙｒ’，Ｚｒ’）
Ｇ’：色度調整後のＧ光（Ｘｇ’，Ｙｇ’，Ｚｇ’）
Ｂ’：色度調整後のＢ光（Ｘｂ’，Ｙｂ’，Ｚｂ’）
Ｒ：ＬＥＤの原色Ｒ光（Ｘｒ，Ｙｒ，Ｚｒ）
Ｇ：ＬＥＤの原色Ｇ光（Ｘｇ，Ｙｇ，Ｚｇ）
Ｂ：ＬＥＤの原色Ｂ光（Ｘｂ，Ｙｂ，Ｚｂ）
ｎ：Ｒの混合比係数
ｍ：Ｇの混合比係数
ｌ：Ｂの混合比係数
【００３８】
図５は、光源調整部４で、色度を設定する場合の処理を示すフローチャートである、図５において、目標色空間設定部２からの目標ＲＧＢ３刺激値を受け取る（ステップＳ１）。
【００３９】
そして、記憶部３から、最大発光時のＬＥＤ６ｒ、ＬＥＤ６ｇ、ＬＥＤ６ｂの３刺激値を読み込み（ステップＳ２）、（１）式から、目標色度とするための混合比ｎｉ：ｍｉ：ｌｉ（ｉ＝ｒ、ｇ、ｂ）を求める（ステップＳ３）。このとき、白色点としては、目標色空間設定部２に保存されていたものが用いられる。
【００４０】
次に、混合比ｎｉ：ｍｉ：ｌｉのうちの何れかが負であるかどうかを判断する（ステップＳ４）。何れかが負の場合には、負となる数を「０」にクリップし（ステップＳ５）、目標３刺激値を更新して（ステップＳ６）、ステップＳ３にリターンする。
【００４１】
これは、目標とするガマット（色域）がＬＥＤのガマットの範囲外となったときの処理を示している。つまり、図４において、実線で示すＬＥＤのガマットに対して、目標ガマットが一点鎖線で示すように設定されたとする。このように、目標のガマットがＬＥＤのガマットを越えている場合には、ｎ、ｍ、ｌのうち、負となるものは「０」にクリップされるので、（１）式でＧ’の混合光には、ＬＥＤのＢの光は含まれない。したがって、新しく設定される目標値のガマットは、点線で示すように、元の目標値のガマットとＬＥＤのガマットの交点座標を結んだ範囲になる。Ｒ色、Ｂ色が範囲外となる場合も同様である。
【００４２】
ステップＳ４で、何れも負でない場合には、混合比ｎi、ｍｉ、ｌｉのうち最大となるものを「１」として、正規化を行う（ステップＳ７）。そして、求められた割合で混合した光Ｒ’、Ｇ’、Ｂ’の３刺激値を計算し（ステップＳ８）、求められた３刺激値と目標とする３刺激値との誤差が所定範囲内かどうかを判断する（ステップＳ９）。
【００４３】
誤差が所定範囲になければ、ｎｒＲ、ｍｇＧ、ｌｂＢを、（１）式におけるＬＥＤのＲＧＢの新たな刺激値とする（ステップＳ１０）。そして、（１）式から、ＬＥＤのＲＧＢの混合比ｎｉ：ｍｉ：ｌｉを算出し（ステップＳ１１）、ステップＳ７にリターンする。すなわち、（２）式に示すようにして、混合比を算出する。
【００４４】
【数２】
2006330177.tif 000004
【００４５】
これは、１回の処理で、求められた３刺激値が目標とする３刺激値と一致しないときの処理である。求められた３刺激値が目標とする３刺激値との誤差が所定値以上の場合には、（２）式のように、ＬＥＤのＲＧＢの新たな刺激値とする処理を繰り返すことで、目標とする３刺激値に近づいていく。
【００４６】
ステップＳ９で、求められた３刺激値と目標とする３刺激値との誤差が所定範囲内であると判断されたら、この手続きで決定した混合比により、光量−電流変換テーブルから、ＲＧＢの各ＬＥＤ駆動電流を算出する（ステップＳ１２）。
【００４７】
このように、本発明の実施形態では、外部情報入力部１により設定された目標色度となるように、（１）式を用いて、ＲＧＢ各色の混合比が求められ、求められた混合比に応じて、ＲＧＢ各色のＬＥＤ６ｒ、６ｇ、６ｂの駆動電流が設定され、ＬＥＤ６ｒ、６ｇ、６ｂが発光され、合成される。このようにして、ＲＧＢ各色の混合比を変えて色空間を設定して、色度の調整が行われる。
【００４８】
なお、上述の例では、白色点として、目標色空間設定部２に保存されていたものを用いて、白色点は固定としているが、例えば、外部情報入力部１から白色点を入力できるようにし、入力された白色点に基づいて、白色点を動かして、目標色空間を設定するようにしても良い。
【００４９】
また、この実施形態では、ＬＥＤ６ｒ、６ｇ、６ｂからの光を検出するセンサ１７が設けられている。このセンサ１７の光検出信号から、ＲＧＢ各色毎の輝度を検出し、記憶部３に記憶されている各色の目標色度値と、センサ１７からの検出値から得られた色度値とを比較して、ＲＧＢ各色の混合比を調整するようにしても良い。
【００５０】
また、ＬＥＤ６ｒ、６ｇ、６ｂが出射する各色の光学特性を検出するセンサを用意するようにしても良い。ＬＥＤ６ｒ、６ｇ、６ｂの光学特性が検出できれば、このセンサの出力を用いて、目標色空間を設定するためのＬＥＤ６ｒ、ＬＥＤ６ｇ、ＬＥＤ６ｂの３刺激値を得ることができ、記憶部３のＬＥＤ６ｒ、ＬＥＤ６ｇ、ＬＥＤ６ｂの３刺激値を使わずに、目標刺激値とするためのＲＧＢの混合比を求めることができる。
【００５１】
図６は、本発明の他の実施形態を示すものである。前述の実施形態では、外部情報入力部１からの目標色度におり、色度を調整するようにしていたのに対して、この実施形態では、入力信号検出部２１により、入力信号中に含まれる色空間情報を検出し、検出された色空間情報に基づいて、色度を設定するようにしている。
【００５２】
図６において、例えば、ディジタルカメラで撮影した信号中には、撮影したときの色空間情報が保存され、入力信号と共に送られる。入力信号検出部２１で、このような色空間情報が検出される。この色空間情報が目標色空間設定部２に送られる。そして、前述の実施形態と同様に、光源調整部４で、目標色空間設定部２からの目標ＲＧＢ３刺激値と、記憶部３に記憶されている各ＬＥＤのＲＧＢ３刺激値から、目標色空間となるためのＲ、Ｇ、Ｂの各ＬＥＤ６Ｒ、６Ｇ、６Ｂにそれぞれの発光する混合比が決定され、この混合比に基づいて、Ｒ、Ｇ、Ｂの各ＬＥＤ６Ｒ、６Ｇ、６Ｂそれぞれに流すＬＥＤ駆動電流が設定される。これにより、入力信号に含まれる情報に基づいて、色度が設定される。他の構成については、前述の実施形態と同様であり、同様な部分については、同一符号を付して、その説明を省略する。
【００５３】
以上説明したように、本発明の実施形態によれば、使用者の設定や、映像を見るときの環境や、映像ソースの状態等により、色空間を自由に調整することができる。
【００５４】
なお、本発明は、上述した実施形態に限定されるものではなく、本発明の要旨を逸脱しない範囲内で様々な変形や応用が可能である。
【産業上の利用可能性】
【００５５】
本発明は、ＤＭＤ素子等の空間変調デバイスとＬＥＤとを用いたプロジェクタにおける色度調整に用いることができる。
【図面の簡単な説明】
【００５６】
【図１】本発明の一実施形態のブロック図である。
【図２】本発明の一実施形態におけるＬＥＤの光量設定の説明に用いる波形図である。
【図３】通常のプロジェクタにおけるＬＥＤの光量設定の説明に用いる波形図である。
【図４】本発明の一実施形態の説明に用いるｘ−ｙ色度図である。
【図５】本発明の一実施形態の動作説明に用いるフローチャートである。
【図６】本発明の一実施形態のブロック図である。
【図７】従来の課題の説明に用いるｘ−ｙ色度図である。
【符号の説明】
【００５７】
１  外部情報入力部
２  目標色空間設定部
３  記憶部
４  光源調整部
５ｒ、５ｇ、５ｂ  ＬＥＤ駆動回路
６ｒ、６ｇ、６ｂ  ＬＥＤ
７ｒ、７ｇ、７ｂ  コリメータ
８  ダイクロイックプリズム
９  照明光学系
１０  空間変調デバイス
１２  画像処理部
１３  変調デバイス制御部
１４  投影光学系
１５  スクリーン
１７  センサ
２１  入力信号検出部
【図１】
2006330177.tif 000005
【図２】
2006330177.tif 000006
【図３】
2006330177.tif 000007
【図４】
2006330177.tif 000008
【図５】
2006330177.tif 000009
【図６】
2006330177.tif 000010
【図７】
2006330177.tif 000011